(57)【要約】      （修正有）【課題】使用者が機能を選択できる、タッチ制御型ディスプレーを表示装置と入力装置とするインターホンシステムを提供する。【解決手段】タッチ制御型ディスプレーを電鈴システムの表示装置と入力装置は、インターホンシステムの表示装置と入力装置として用いるタッチ制御型ディスプレーと、タッチ制御型ディスプレーが伝送したデータを処理して関連している出力信号に転換するマイクロプロセッサと、プログラムとデータを格納するメモリと、居住者と室外にいる人との対話に用いるインターホンと、音声を出力するスピーカーとを備える。【選択図】図１
0003159365.tif 000002
【実用新案登録請求の範囲】
【請求項１】
インターホンシステムの表示装置と入力装置として用いるタッチ制御型ディスプレーと、
前記タッチ制御型ディスプレーから伝送されたデータを処理して関連している出力信号に転換するマイクロプロセッサと、
プログラムとデータとを格納するメモリと、
居住者と室外にいる人との対話に用いられるインターホンと、
音声を出力するスピーカーと、
を含むタッチ制御型ディスプレーを表示装置と入力装置とするインターホンシステムであって、
前記タッチ制御型ディスプレーの画面には、前記室外にいる人が選択できるように関連した機能オプションが表示され、前記室外にいる人が１つのオプションを選択した場合、当該選択されたオプションに関するデータが前記マイクロプロセッサに伝送され、
前記マイクロプロセッサは、前記選択されたオプションの内容に基づいて相応しい動作を作動させることを特徴とするタッチ制御型ディスプレーを表示装置と入力装置とするインターホンシステム。
【請求項２】
前記マイクロプロセッサが出力した信号により制御できる周辺機器と、
前記周辺機器を制御する制御回路と、
をさらに含むことを特徴とする請求項１に記載のタッチ制御型ディスプレーを表示装置と入力装置とするインターホンシステム。
【請求項３】
前記タッチ制御型ディスプレーの画面と入力する機能オプションとが使用者により選択可能に構成されることを特徴とする請求項１に記載のタッチ制御型ディスプレーを表示装置と入力装置とする電鈴システム。
【請求項４】
前記タッチ制御型ディスプレーの画面と機能オプションとは、前記タッチ制御型ディスプレーの上に構築する、あるいは制御回路により構築することを特徴とする請求項１に記載のタッチ制御型ディスプレーを表示装置と入力装置とするインターホンシステム。
【請求項５】
前記タッチ制御型ディスプレーは、液晶パネルとマウスとであることを特徴とする請求項１に記載のタッチ制御型ディスプレーを表示装置と入力装置とする電鈴システム。
【請求項６】
前記インターホンは、室内に少なくとも１つ設けられることを特徴とする請求項１に記載のタッチ制御型ディスプレーを表示装置と入力装置とするインターホンシステム。
【請求項７】
前記制御回路に図面あるいはデータを入力して、前記タッチ制御型ディスプレーの上に表示させることを特徴とする請求項２に記載のタッチ制御型ディスプレーを表示装置と入力装置とするインターホンシステム。
【請求項８】
有線方式あるいは無線方式の通信システムを利用して他の通信システムと通信できることを特徴とする請求項１に記載のタッチ制御型ディスプレーを表示装置と入力装置とするインターホンシステム。
【請求項９】
前記インターホンのスイッチ制御は、前記インターホンを取り上げると前記インターホンのスイッチをオンにし、前記インターホンを置くと前記インターホンのスイッチをオフにすることを特徴とする請求項１に記載のタッチ制御型ディスプレーを表示装置と入力装置とするインターホンシステム。
【請求項１０】
前記タッチ制御型ディスプレーの上方あるいは左方と右方に風と雨とを防止できる防風プレートを設ける、あるいは、前記タッチ制御型ディスプレーを蓋で覆うことを特徴とする請求項１に記載のタッチ制御型ディスプレーを表示装置と入力装置とするインターホンシステム。
【考案の詳細な説明】
【技術分野】
【０００１】
本考案は従来の押下型ボタンに代わってタッチ制御型ディスプレーを表示装置と入力装置とを備えるインターホンシステムに関し、それによって、本考案のインターホンシステムは個人向けの製品として生産することができる。
【背景技術】
【０００２】
既に公開されている先行出願を発明の名称に「電鈴」を検索キーワードとして調べると、「電鈴」に関する特許の数量があまり多くないことが判る。いくつか例を挙げれば、台湾実用登録第５８５３７７号明細書（特許文献１）、台湾実用登録第４５３５８０号明細書（特許文献２）、台湾特許第Ｉ２２２３１２号明細書（特許文献３）や台湾特許公開第２００９２４３９４号明細書（特許文献４）などがある。
【０００３】
特許文献１には、映像をテレビの画面に伝送する映像電鈴制御器が開示されている。その映像電鈴制御器は、電鈴ボタンと、制御回路と、監視カメラと、電鈴と、切替えスイッチとを含む。電鈴ボタンが押された場合、制御回路を経由して監視カメラを起動して撮影を行うと共に、電鈴を駆動して電鈴音声を発声させる。そして、切替えスイッチを介して監視カメラで撮影した映像をテレビの画面に伝送して表示させる。これによって、室外にて訪問者が電鈴ボタンを押すと、居住者は電鈴音声が聞こえるだけではなく、テレビの画面により室外の実際な状況を監視できることから、住宅の安全性を向上できる。
【０００４】
特許文献２には、従来の電鈴の実用性が不十分である問題点を解決できる留守録音機能および録画機能の少なくとも一方を有する電鈴が開示されている。その電鈴は、室内インターホンおよび室外インターホンを含む。室外インターホンは少なくともマイクと、留守録設定ボタンと、電鈴ボタンとを含み、室内インターホンは少なくともスピーカーと、留守録表示灯と、留守録再生ボタンと、留守録削除ボタンとを含む。室外インターホンと室内インターホンとには監視器およびビデオカメラが追加され、留守録音と録画機能とを兼ねた電鈴を提供し、従来の電鈴の機能が不十分である問題点を解決でき、訪問者を事前に判断できることから、居住者が直接対応しなくて済むようにできる効果が得られる。
【０００５】
特許文献３には、データ伝送チャンネルを利用して、着信音を受信する可動式装置が開示されている。その可動式装置は、受話器のスピーカーと、主要な拡声スピーカーと、レシーバーと、切換え装置と、マイクロ制御器とを含む。レシーバーは、データ伝送チャンネルを介して第１音声データを受信し、また、その第１音声データは少なくとも着信音の音声データを含む。切換え装置は、第１音声データを受信して受話器のスピーカーおよび、主要な拡声スピーカーを選択的に伝送する。マイクロ制御器は、第１音声データが着信音の音声データである場合、切換え装置を制御して主要な拡声スピーカーに切り替える。
【０００６】
特許文献４には、無線電鈴装置およびその操作方法が開示されている。無線電鈴装置は、制御モジュールおよび発信モジュールを含む。制御モジュールは１つのボタンを有し、一旦ボタンを押せば、制御モジュールは制御を伝送する。発信モジュールは、制御モジュールと電気的に接続する。一旦制御信号を受信すると、発信モジュールは、無線信号を可動式通信装置に発信し、可動式通信装置は無線信号を受信し、その無線信号に基づいて電鈴の音声が鳴る。
【０００７】
上記したように、各特許文献はいまだに伝統的な押下型ボタンを入力装置として使用され、電鈴の音声を生成する。これらの特許は電鈴のその他の機能を強化させながら、電鈴の機能を強化する技術にすぎない。
【先行技術文献】
【特許文献】
【０００８】
【特許文献１】台湾実用登録第５８５３７７号明細書
【特許文献２】台湾実用登録第４５３５８０号明細書
【特許文献３】台湾特許第Ｉ２２２３１２号明細書
【特許文献４】台湾特許公開第２００９２４３９４号明細書
【考案の概要】
【考案が解決しようとする課題】
【０００９】
本考案は、従来の電鈴が押下型ボタンを使用して電鈴の音声を生成することに代わって、タッチ制御型ディスプレーをインターホンシステムの表示装置と入力装置として採用する。タッチ制御型ディスプレーの上の入力選択オプションは、多元的な変化を有することから、本考案に係るインターホンシステムは個人化された製品として生産することができる。使用者には、個人の要求に応じるように、訪問者に電鈴を鳴らす機能、ドアを自動開放機能、呼転送機能やメッセージ掲示板機能などを提供する。
【課題を解決するための手段】
【００１０】
本考案に係るタッチ制御型ディスプレーを表示装置と入力装置とするインターホンシステムは、インターホンシステムの表示装置と入力装置として用いるタッチ制御型ディスプレーと、タッチ制御型ディスプレーから伝送されたデータを処理して関連している出力信号に転換するマイクロプロセッサと、プログラムとデータとを格納するメモリと、居住者と室外にいる人との対話に用いられるインターホンと、音声を出力するスピーカーとを備える。
【００１１】
また、タッチ制御型ディスプレーの画面には、室外にいる人が選択できるように関連した機能オプションが表示され、室外にいる人が１つのオプションを選択した場合、その選択されたオプションに関するデータがマイクロプロセッサに伝送され、上記マイクロプロセッサは選択されたオプションの内容に基づいて相応しい動作を作動させる。
【００１２】
本考案の請求項２によれば、マイクロプロセッサが出力した信号により制御できる周辺機器と周辺機器を制御する制御回路とをさらに含んでもよい。
【００１３】
本考案の請求項３によれば、前記タッチ制御型ディスプレーの画面と入力する機能オプションとが使用者により選択可能に構成が採用される。
【００１４】
本考案の請求項４によれば、タッチ制御型ディスプレーの画面と機能オプションとは、タッチ制御型ディスプレーの上に構築する、あるいは、制御回路により構築する。
【００１５】
本考案の請求項５によれば、タッチ制御型ディスプレーは、液晶パネルとマウスとであってもよい。
【００１６】
本考案の請求項６によれば、室内のインターホンは、１つあるいは複数であってもよい。
【００１７】
本考案の請求項７によれば、制御回路に図面あるいはデータを入力して、タッチ制御型ディスプレーの上に表示させることができる。
【００１８】
本考案の請求項８によれば、通信システムとして有線方式と無線方式とも利用でき、他人の通信システムと通信できる。
【００１９】
本考案の請求項９によれば、インターホンのスイッチ制御は、インターホンを取り上げるとインターホンのスイッチをオンにすることができる、または、インターホンを置くとインターホンのスイッチをオフにすることもできる。
【００２０】
本考案の請求項１０によれば、タッチ制御型ディスプレーの上方あるいは左方と右方に、風と雨を防止できるように防風プレートを追加することができる、または、蓋で覆うこともできる。
【考案の効果】
【００２１】
上記したように本考案に係るインターホンシステムによれば、使用者は、それぞれに要求した機能を自ら選択でき、利便性と実用性を従来の押下型電鈴と比べれば、大幅に増加することができる。
【図面の簡単な説明】
【００２２】
【図１】本考案の一実施形態に係るインターホンシステムのブロック図である。
【考案を実施するための形態】
【００２３】
本考案の実施の形態を図面に基づいて説明する。
【００２４】
（一実施形態）
図１は、本考案の一実施形態に係るインターホンシステムのハードウェアブロック図である。図１によれば、タッチ制御型ディスプレー３０は、表示装置と入力装置とであり、室外にいる人は、タッチ制御型ディスプレー３０の上の１つのオプションを選択した後、選択されたオプションのオプション信号がマイクロプロセッサ４０に伝送される。マイクロプロセッサ４０は、そのオプション信号に基づいて相応しい動作を作動させる。相応しい動作は、さらに他のオプションを選択する動作、スピーカー５０を制御して音声を発出する動作、通信システム６０により有線あるいは無線呼転送を行う動作、制御回路７０によりドアロックを開錠する動作あるいは周辺機器を制御する動作などを含む。
マイクロプロセッサ及びメモリ４０は、プログラムの格納、タッチ制御型ディスプレーより伝送したデータを処理して関連している出力信号転換する。スピーカー５０は、音声を出力するものである。通信システム６０は、有線通信または無線通信に用いられる。制御回路７０は、周辺機器の制御を行うものである。
【００２５】
以下は、本実施形態に適用するソフトウェア流れであり、最初に、タッチ制御型ディスプレー３０の画面には、掲示板メッセージ（例えば、住所、図面など）と入力オプションとが表示される。室外にいる人は、まず、身元情報を選択する。即ち、タッチ制御型ディスプレー３０の画面には掲示板メッセージの内容と「家族」や「訪問者」など２つのオプションが表示される。それからの流れは以下に説明する。
【００２６】
ステップ１は、タッチ制御型ディスプレー３０の画面が「家族」と「訪問者」との２つのオプションが表示されるステップである。
（１）「家族」を選択した場合、ステップ２に進む。
（２）「訪問者」を選択した場合、ステップ４に進む。
【００２７】
ステップ２は、タッチ制御型ディスプレー３０の画面が「パスワードを入力する」と「対話モードを起動する」の２つのオプションが表示されるステップである。
（１）「パスワードを入力する」を選択した場合、室外にいる人にパスワードを入力するようにタッチ制御型ディスプレー３０に鍵盤を表示させる。
（Ａ）入力したパスワードが正確である場合、ステップ３に進む。
（Ｂ）入力したパスワードが違いである場合、ステップ１に進む。
（２）「対話モードを起動する」を選択した場合、マイクロプロセッサ４０は、スピーカー５０を制御して音声を発出すると共に、室外のインターホン１０、及び、室内のインターホン２０の機能を起動し、通話を完了した後、ステップ１に進む。
【００２８】
ステップ３は、タッチ制御型ディスプレー３０の画面に「対話モードを起動する」と、「呼転送」と、「ドアを自動開放モード」と、の３つのオプションが表示されるステップである。
（１）「対話モードを起動する」を選択した場合、マイクロプロセッサ４０は、スピーカー５０を制御して音声を発出すると共に、インターホン１０，２０の機能を起動し、通話を完了した後、ステップ１に進む。
（２）「呼転送」を選択した場合、室外にいる人に電話番号を入力するようにタッチ制御型ディスプレー３０に数字鍵盤を表示させて、マイクロプロセッサ４０より電話をかけ、通話を完了した後、ステップ１に進む。
（３）「ドアを自動開放モード」を選択した場合、室外にいる人にパスワードを入力するようにタッチ制御型ディスプレー３０に数字鍵盤を表示させる。
（Ａ）入力したパスワードが正確である場合、ドアを自動開放して、ステップ１に進む。
（Ｂ）入力したパスワードが違いである場合、ステップ１に進む。
【００２９】
ステップ４は、マイクロプロセッサ４０よりスピーカー５０を制御して音声を発出すると共に、インターホン１０，２０の機能を起動し、通話を完了した後、ステップ１に進むステップである。
勿論、上記した流れはあくまでも参考プロセスであり、使用者のそれぞれの要求に応じて異なるプロセスを設計してもよい。
【００３０】
本考案の別の実施形態によれば、先ず、タッチ制御型ディスプレー３０の画面には関連するオプションが室外にいる人が選択できるように表示されている。そして、室外にいる人がある１つのオプションを選択した後、そのオプションデータがマイクロプロセッサ４０に伝送される。マイクロプロセッサ４０は、選択されたオプションの内容に基づいて相応しい動作を作動させる。その相応しい動作としては、スピーカー５０を制御して音声を発出する動作、室外の人にさらに他のデータを入力させる動作、インターホン１０，２０を起動する動作、通信システム６０を起動して有線あるいは無線呼転送を行う動作、制御回路７０によりドアロックを開錠する動作あるいはその他の動作が含む。
【００３１】
以上は、本考案の好ましい実施形態であり、本考案の権利範囲に制限を加わるものではない。よって、本考案の権利範囲および明細書の内容による効果等の変化や変更はなお本考案の範囲に含まれるものとする。
【符号の説明】
【００３２】
１０：インターホン（室外のインターホン）、２０：インターホン（室内のインターホン）、３０：タッチ制御型ディスプレー（インターホンシステムの表示装置と入力装置）、４０：マイクロプロセッサ及びメモリ、５０：スピーカー、６０：通信システム、７０：制御回路
【図１】
0003159365.tif 000003
【手続補正書】
【提出日】平成22年3月10日(2010.3.10)
【手続補正１】
【補正対象書類名】実用新案登録請求の範囲
【補正対象項目名】請求項３
【補正方法】変更
【補正の内容】
【請求項３】
前記タッチ制御型ディスプレーの画面表示情報と入力する機能オプションとが使用者により選択可能に構成されることを特徴とする請求項１に記載のタッチ制御型ディスプレーを表示装置と入力装置とするインターホンシステム。
【手続補正２】
【補正対象書類名】実用新案登録請求の範囲
【補正対象項目名】請求項４
【補正方法】変更
【補正の内容】
【請求項４】
前記タッチ制御型ディスプレーの画面表示情報と機能オプションとは、前記タッチ制御型ディスプレーの上に構築する、あるいは制御回路により構築することを特徴とする請求項１に記載のタッチ制御型ディスプレーを表示装置と入力装置とするインターホンシステム。
【手続補正３】
【補正対象書類名】実用新案登録請求の範囲
【補正対象項目名】請求項５
【補正方法】変更
【補正の内容】
【請求項５】
前記タッチ制御型ディスプレーは、液晶パネルとマウスとであることを特徴とする請求項１に記載のタッチ制御型ディスプレーを表示装置と入力装置とするインターホンシステム。
【手続補正４】
【補正対象書類名】実用新案登録請求の範囲
【補正対象項目名】請求項９
【補正方法】変更
【補正の内容】
【請求項９】
前記インターホンは、受話器を有し、
前記インターホンのスイッチ制御は、前記インターホンを取り上げると前記インターホンのスイッチをオンにし、前記インターホンを置くと前記インターホンのスイッチをオフにすることを特徴とする請求項１に記載のタッチ制御型ディスプレーを表示装置と入力装置とするインターホンシステム。